(57)【要約】【課題】左右横脇から作業性良くバッテリーを着脱できるようにする。【解決手段】バッテリー１８を載置支持するバッテリーケース２０を自走本機１に装着し、このバッテリーケース２０の前方部に左右一端部で前後揺動自在に連結していて前後揺動によりバッテリー１８上部の後方の角部に対して係脱自在で係合状態において左右他端部を下方に揺動操作されることでバッテリー１８をバッテリーケース２０に押し付け固定する固定具２４を設け、バッテリーケース２０の前方部に下端部で前後揺動自在に連結していてバッテリー１８に係合する固定具２４の他端部に係合する状態で雄ねじ状の上端部分に螺合させた蝶ナット部材２５の締め込みで固定具２４の他端部を下方に引っ張り操作するロック具２６を設ける。【選択図】        図６
2004330919.tif 000002
【特許請求の範囲】
【請求項１】
自走本機の後部に苗植付け装置を昇降自在に連結し、自走本機の運転座席の下方にバッテリーを搭載してある乗用型田植機であって、前記バッテリーを載置支持するバッテリーケースを自走本機の機体フレームに装着し、このバッテリーケースの前方部又は後方部に左右一端部で前後揺動自在に連結していてこの前後揺動によりバッテリー上部の後方又は前方の角部に対して係脱自在で係合状態において左右他端部を下方に揺動操作されることでバッテリーをバッテリーケースに押し付け固定する固定具を設け、前記バッテリーケースの前方部又は後方部に下端部で前後揺動自在に連結していて前記バッテリーに係合する固定具の他端部に係合する状態で上端部分に螺合させたねじ部材の締め込みで固定具の他端部を下方に引っ張り操作するロック具を設けてある乗用型田植機。
【請求項２】
前記バッテリーケースに、前記機体フレームに対して着脱自在に装着するための機体フレームへの引っ掛け支持部を付設してある請求項１記載の乗用型田植機。
【請求項３】
前記バッテリーケースに、前記機体フレームに接当することで機体フレームに対する左右位置決めを行う位置決め部を連設してある請求項２記載の乗用型田植機。
【請求項４】
前記バッテリーケースの左右側面に電気系のコントローラを取り付けてある請求項２又は３記載の乗用型田植機。
【請求項５】
自走本機の後部に苗植付け装置を昇降自在に連結し、自走本機の運転座席の下方にバッテリーを搭載してある乗用型田植機であって、前記バッテリーの下方に電装品を配置してある乗用型田植機。
【発明の詳細な説明】
【０００１】
【発明の属する技術分野】
本発明は、自走本機の後部に苗植付け装置を昇降自在に連結し、自走本機の運転座席の下方にバッテリーを搭載してある乗用型田植機に関する。
【０００２】
【従来の技術】
従来からも、自走本機の運転座席の下方にバッテリーを搭載した乗用型田植機が知られている（例えば、特許文献１参照。）。そして、バッテリーの搭載固定構造としては、図８に示すように、バッテリー１８を載置支持するバッテリーケース２０を設け、このバッテリーケース２０の前方部又は後方部に下端部で前後揺動自在に連結する左右一対の引き具５０を設け、これら引き具５０の上端部間にわたって引き具５０の前後揺動によりバッテリー１８上部の後方又は前方の角部に対して係脱自在な固定具５１を架設し、前記引き具５０それぞれの雄ねじ状の上端部に螺合締め付けすることで、バッテリー１８の上部角部への係合状態にある固定具５１を、バッテリー１８をバッテリーケース２０に押し付ける方向に移動させる蝶ナット部材５２を設けて、バッテリー１８を着脱自在に固定するようにした構造が知られている。
【０００３】
また、従来の乗用型田植機では、バッテリーの下方の空間を空けたままにしていた（例えば、特許文献１参照。）。
【０００４】
【特許文献１】
特開２００３−２０７８号公報
【０００５】
【発明が解決しようとする課題】
しかし、上記従来の搭載固定構造では、バッテリーを着脱する際、二つのねじ部材を操作しなければならないので、手数を要し、バッテリーの着脱作業性が悪いという欠点があった。
【０００６】
また、従来では、バッテリーの下方空間を空けたままにしていたから、空間利用効率が悪いという欠点があった。
【０００７】
本発明の目的は、上記従来の欠点を解消する点にある。
【０００８】
【課題を解決するための手段】
請求項１に係る本発明による乗用型田植機の特徴・作用・効果は次の通りである。
【０００９】
〔特徴〕
自走本機の後部に苗植付け装置を昇降自在に連結し、自走本機の運転座席の下方にバッテリーを搭載してある乗用型田植機であって、前記バッテリーを載置支持するバッテリーケースを自走本機の機体フレームに装着し、このバッテリーケースの前方部又は後方部に左右一端部で前後揺動自在に連結していてこの前後揺動によりバッテリー上部の後方又は前方の角部に対して係脱自在で係合状態において左右他端部を下方に揺動操作されることでバッテリーをバッテリーケースに押し付け固定する固定具を設け、前記バッテリーケースの前方部又は後方部に下端部で前後揺動自在に連結していて前記バッテリーに係合する固定具の他端部に係合する状態で上端部分に螺合させたねじ部材の締め込みで固定具の他端部を下方に引っ張り操作するロック具を設けてある点にある。
【００１０】
〔作用〕
ロック具に螺合させた一つのねじ部材の固定具に対する締め込み並びに締め込み解除により、固定具を、バッテリーをバッテリーケースに押し付け固定する固定状態とバッテリーのバッテリーケースからの取り出しを許容する固定解除状態とに切り換えるようにしてあるから、バッテリーを着脱する際、一つのねじ部材に対する操作だけで済む。
しかも、一つのねじ部材で固定及び固定解除するに、ねじ部材として固定具の左右他端部に作用するものを設けてあるから、ねじ部材がバッテリー搭載部の左右の端に位置することになり、運転座席を前方に倒伏揺動させるなどしてバッテリー搭載部の上部を開放させて左右横脇からバッテリーを着脱する際、ねじ部材を操作しやすい。
【００１１】
〔効果〕
従って、特に、左右横脇から作業性良くバッテリーを着脱できるようになった。
【００１２】
請求項２に係る本発明による乗用型田植機の特徴・作用・効果は次の通りである。
【００１３】
〔特徴〕
上記請求項１に係る本発明による乗用型田植機において、前記バッテリーケースに、前記機体フレームに対して着脱自在に装着するための機体フレームへの引っ掛け支持部を付設してある点にある。
【００１４】
〔作用〕
引っ掛け支持部を機体フレームに引っ掛けることによりバッテリーケースを機体フレームに荷重支持状態に装着するのであって、引っ掛け支持部を機体フレームに引っ掛けるだけでバッテリーケースを機体フレームにいわば仮止め支持させることができるから、たとえバッテリーケースにバッテリーを搭載固定してバッテリーケースが大重量化していても、自走本機後部に対するメンテナンスのためにバッテリーケースをバッテリーごと機体フレームに着脱する際、ボルト止めのみでバッテリーケースを機体フレームに装着する場合に比較して、そのバッテリーケースのバッテリーごとの機体フレームに対する着脱を容易に行うことができる。
【００１５】
〔効果〕
従って、機体フレーム後部に対するメンテナンスのためのバッテリーケースのバッテリーごとの機体フレームに対する着脱を容易・迅速に行えることで機体フレーム後部に対するメンテナンス性を向上できるようになった。
【００１６】
請求項３に係る本発明による乗用型田植機の特徴・作用・効果は次の通りである。
【００１７】
〔特徴〕
上記請求項２に係る本発明による乗用型田植機において、前記バッテリーケースに、前記機体フレームに接当することで機体フレームに対する左右位置決めを行う位置決め部を連設してある点にある。
【００１８】
〔作用〕
バッテリーケースを機体フレームに引っ掛け式で装着するようにしてあることに着目して、バッテリーケースに連設した位置決め部の機体フレームへの接当により、機体フレームへの装着時に必要となるバッテリーケースの機体フレームに対する左右位置決めを行うようにしてあるから、バッテリーケースの機体フレームに対する左右位置決めを容易に行うことができる。
【００１９】
〔効果〕
従って、バッテリーケースを引っ掛け式で装着することによる装着作業性をより一層、良好化できるようになった。
【００２０】
請求項４に係る本発明による乗用型田植機の特徴・作用・効果は次の通りである。
【００２１】
〔特徴〕
上記請求項２や３に係る本発明による乗用型田植機において、前記バッテリーケースの左右側面に電気系のコントローラを取り付けてある点にある。
【００２２】
〔作用〕
乗用型田植機では、機体フレームに対する防錆処理や塗装を行った後にバッテリーケースが機体フレームに装着される。このことに着目して、バッテリーケースに電気系のコントローラを取り付けてあるから、コントローラの取り付けを、機体フレームに対する防錆処理や塗装と並行して行える。
しかも、コントローラの上部に運転座席が位置することになって、運転座席がコントローラ設置空間の屋根として作用するから、特別な防水構造を設けることなく、洗車時の洗浄水や雨水がコントローラに掛かることを少なくすることができる。
【００２３】
〔効果〕
従って、乗用型田植機の組み立て性を向上できるようになった。
【００２４】
請求項５に係る本発明による乗用型田植機の特徴・作用・効果は次の通りである。
【００２５】
〔特徴〕
自走本機の後部に苗植付け装置を昇降自在に連結し、自走本機の運転座席の下方にバッテリーを搭載してある乗用型田植機であって、前記バッテリーの下方に電装品を配置してある点にある。
【００２６】
〔作用〕
組み付け状態において、バッテリーが電装品設置空間の屋根として作用するから、特別な防水構造を設けることなく、洗車時の洗浄水や雨水が電装品に掛かることを少なくすることができる。
もちろん、今まで使用されていなかったバッテリー下方空間を電装品設置空間に利用するから、空間利用率を向上して、全体のコンパクト化を図ることができる。
【００２７】
〔効果〕
従って、コンパクト化を図ることはもちろん、電装品が洗浄水や雨水に掛かることによる電気トラブルを構造簡単・安価に抑制できるようになった。
【００２８】
【発明の実施の形態】
乗用型田植機は、図１、図２に示すように、乗用型の自走本機１の後部に複数条植え式の苗植付け装置２を平行四連リンク機構３を介して昇降自在に連結し、圧油供給に伴い苗植付け装置２を上昇させるとともに排油に伴い苗植付け装置２を重量で下降させる油圧シリンダ利用のリフトシリンダ４を設け、植付け走行に伴って植付け条の左右横脇に施肥する施肥装置を設けて構成されている。
【００２９】
前記自走本機１は、操向用の左右一対の駆動前輪５と左右一対の駆動後輪６とを備えた機体フレーム７の前部にエンジン８を搭載し、機体フレーム７の後部に運転座席９を搭載し、前記駆動前輪５を操向操作するためのステアリングハンドル１０を前記運転座席９の前方に位置する状態で機体フレーム７に組み付けて構成されている。
【００３０】
前記機体フレーム７は、走行部及び苗植付け装置２への伝動機構を内装したミッションケース１１の前部にエンジン搭載フレーム１２を連設し、前記ミッションケース１１の後部に運転座席支持並びにリンク機構取付け用の後部フレーム１３を連設して構成されている。前記後部フレーム１３は、上部に運転座席９を載置支持する防振ゴム１４を装着した左右一対の支柱１３Ａと、これら支柱１３Ａの上端近くとミッションケース１１とにわたって前下がり傾斜姿勢で斜めに架設された支柱倒れ止め用の左右一対の筋交い１３Ｂとから構成されている。
そして、前記駆動前輪５は、前車軸ケース１５を介して前記ミッションケース１１に装着されており、駆動後輪６は、左右向き軸芯周りに上下揺動自在でサスペンションスプリング１６により下方に付勢された伝動ケース兼用のスイングアーム１７を介してミッションケース１１に装着されている。
【００３１】
前記運転座席９の下方部には、バッテリー１８が搭載されており、このバッテリー１８の下方には、電装品１９が配置されている。
【００３２】
前記バッテリー１８の搭載支持構造は、バッテリー１８を載置支持するバッテリーケース２０を前記機体フレーム７のうち支柱１３Ａに装着し、このバッテリーケース２０にバッテリー１８を解除自在に押し付け固定する固定手段を設けて構成されている。
【００３３】
前記バッテリーケース２０は、バッテリー１８を載置支持する載置板２０Ａの前側に、搭載したバッテリー１８の前方への脱落を防止する前方脱落防止片２０Ｂを折り曲げ連設し、前記載置板２０Ａの左右両側に、搭載したバッテリー１８の左右外方への脱落を防止する左右脱落防止片２０Ｃを折り曲げ連設し、前記載置板２０Ａの後側の左右両端部に、支柱１３Ａの前面に接当して後方への移動を阻止される後方移動ストッパー部２０Ｄを折り曲げ連設し、載置板２０Ａの後側の左右中央部に前記左右の支柱１３Ａに接当することにより支柱１３Ａに対する左右位置決めを行う位置決め部２０Ｅを連設した一体構造に構成されている。
前記左右脱落防止片２０Ｃには、前記支柱１３Ａに形成の上下方向に沿ったスリット２１に挿入した状態でスリット２１の下端縁に接当することで支柱１３Ａに引っ掛かり支持される引っ掛け支持部２０ａが一体形成されている。
そして、バッテリーケース２０は、引っ掛け支持部２０ａを支柱１３Ａに引っ掛けるとともに、後方移動ストッパー２０Ｄを支柱１３Ａに接当させ、かつ、位置決め部２０Ｅを支柱１３Ａに接当させ、その引っ掛かり位置決め状態でボルト２２の支柱１３Ａに固着の裏ナット２３への螺合締め付けで引っ掛け支持部２０ａを支柱１３Ａに固定することで支柱１３Ａ、つまり、機体フレーム７に固定装着されている。
【００３４】
前記固定手段は、載置板２０Ａに搭載したバッテリー１８を載置板２０Ａに押し付け固定するための固定具２４と、この固定具２４を押し付け操作保持するロック具２６とから構成されている。
【００３５】
前記固定具２４は、前記左右脱落防止片２０Ｃの一方の前方下側部に下端部で左右向き軸芯周りに前後揺動自在に係止装着された脚部２４ａと、この脚部２４ａの上端に左右一端で連設して脚部２４ａと一体に前後揺動することによりバッテリー１８上部の後方角部に対して係脱自在で係合状態で左右他端を下方に操作されることによりバッテリー１８をバッテリーケース２０の載置板２０Ａに押し付け固定する左右向き姿勢の押さえ部２４ｂとを有する状態に１本の棒状部材の曲げ加工で構成されたものである。そして、この固定具２４は、左右他端を下方に操作されることにより弾性に抗して変形することによりバッテリー１８を押し付け固定するものである。
【００３６】
前記ロック具２６は、他方の左右脱落防止片２０Ｃの前方下側部に下端部で左右向き軸芯周りに前後揺動自在に係止装着されるとともに前記固定具２４の左右他端部に曲げで形成された上下貫通孔２４ｃに上端部分を貫通させた状態でその雄ねじ状の上端部分に固定具２４の他端部に係合する状態に螺合させた蝶ナット部材（ねじ部材の一例）２５の締め込みで固定具２４の他端部を下方に引っ張り操作する棒状部材利用のものである。つまり、ロック具２６は、上端部分の上下貫通孔２４ｃへの挿通で固定具２４に対して左右並びに前後方向で位置決めされるようになっている。
【００３７】
前記バッテリーケース２０の左右側面、つまり、一方の左右脱落防止片２０Ｂの外側には、電気系のコントローラ２７が取付けられて、バッテリーケース２０はコントローラ２７ごと機体フレーム７の対して着脱できるようになっている。
【００３８】
〔別実施形態〕
上記実施の形態では、ねじ部材２５として、ロック具２６の上端部分に螺合する蝶ナット部材を示したが、ねじ部材２５としては、ロック部材２６の上端部分に形成の雌ねじ部に螺合するボルトであっても良い。
【００３９】
上記実施の形態では、固定具２４として棒状部材の折り曲げ加工品を示したが、固定具２４は、板状部材の折り曲げ加工品であっても良い。
【図面の簡単な説明】
【図１】乗用型田植機の全体側面図
【図２】乗用型田植機の全体平面図
【図３】運転座席周りの側面図
【図４】バッテリー取付け部の左側面図
【図５】バッテリー取付け部の右側面図
【図６】バッテリー取付け部の平面図
【図７】バッテリー取付け構造の分解斜視図
【図８】従来のバッテリー取付け構造の概略側面図
【符号の説明】
１          自走本機
２          苗植付け装置
９          運転座席
１８        バッテリー
２０        バッテリーケース
７          機体フレーム
２４        固定具
２５        ねじ部材
２６        ロック具
２０ａ      引っ掛け支持部
２０Ｅ      位置決め部
２７        コントローラ
１９        電装品
【図１】
2004330919.tif 000003
【図２】
2004330919.tif 000004
【図３】
2004330919.tif 000005
【図４】
2004330919.tif 000006
【図５】
2004330919.tif 000007
【図６】
2004330919.tif 000008
【図７】
2004330919.tif 000009
【図８】
2004330919.tif 000010